(57)【要約】【課題】滑り止めシューズカバーとして、構造的に簡単で且つ使用法が容易であるようにする。【解決手段】滑り止め１３を有する。滑り止めシューズカバーであって、滑り止め１３とカバー構造体１２は、面ファスナー１４と１５によって接合されると共に、カバー構造体１２がソールを有することを特徴とする。【選択図】図１
0003123481.tif 000002
【実用新案登録請求の範囲】
【請求項１】
滑り止めを施されたシューズカバーであって、前記シューズカバーは、外面の底面部分に滑り止めを施された事を特徴とする滑り止めシューズカバー。
【請求項２】
前記シューズカバーは、面ファスナーによって接合する滑り止めを有することを特徴とする請求項１記載のシューズカバー。
【請求項３】
前記シューズカバーは、ソールを有することを特徴とする請求項２記載の滑り止めシューズカバー。
【考案の詳細な説明】
【技術分野】
【０００１】  本考案は、主に雪道や凍結した道を歩行する時に使用されるシューズカバーに関する
背景技術【０００２】  従来、雪道や凍結した道を歩行する時の補助具として、幾つか考案されている。しかしながら、構造上または使用法において、やや大掛かりである。【０００３】  なお本願考案に関連する公知技術として次の特許文献１を挙げることができる。【０００４】  ｈｔｔｐ：／ｗｗｗ．ｉｐｄｌｎｃｉｐｉｇｏ．ｊｐ／ｈｏｍｅｐｇ．ｉｐｄｌ
「特許電子図書館」公開番号／登録番号  ２００４−３０５６５７
【考案の開示】
【考案が解決しようとする課題】
【０００５】  上述の如く、従来考案の雪道や凍結した道を歩行するときの補助具は、外面の底面部分に金属製や弾性部材等の凸凹のある突起物を有するもの等が有るが構造上または使用法が、やや大掛かりである。【０００６】  このため、一般の人、特に高齢者や小児等が、使用するのには、やや困難と思われる。【０００７】  本考案は、このような点に鑑みて成されたものであり、その目的は、雪道や凍結した道を歩行するときの補助具として、構造的に簡単で且つ使用法が容易であるようにすることにある。【０００８】  上述の目的を達成する本考案は、滑り止めを施された、滑り止めシューズカバーであって、外面の底面部分に滑り止めを施されたことを特徴とする。シューズカバーは、一般のシューズやブーツ等の外面の底面部分全体を包み込むようにして装着する。【０００９】  １例として、前記シューズカバーは、面ファスナーによって接合される滑り止めを有する。
【考案の効果】
【００１０】  以上、説明したように本考案によれば、シューズカバーの外面の底面部分の滑り止めを面ファスナーによって接合すると、シューズカバーに、効果が減少した滑り止めを新しいものに付け換えたり、又異なった効果を持つ滑り止めを付け換えたりする機能を持たせることが可能である。この滑り止めシューズカバーを例えば雪道や凍結した道を歩行するときに補助具として、使用することで、より確実に且つ、より容易に歩行することが可能となり、雪道や凍結した道の歩行に極めて有効である。
【考案を実施するための最良の形態】
【００１１】  以下、本考案の実施の形態を図面に基づき詳細に説明する。【００１２】  図１及び図２は本考案の第１の形態に係り、図１は、その外観斜視図である。また、図２は、その外面の底面部分の平面図である。【００１３】  図１、図２に示すように、本シューズカバー１１は、シューズ型構造をしたシューズ型構造体１２の外面の底面部分に、滑り止め１３が施されたものである。【００１４】  シューズ型構造体１２は、１例として、化学繊維等で、伸縮性を持たせるように、つくられたものである。【００１５】  １例として、滑り止め１３は、その部分の表面全体に石粒のような硬質の部材の粒が接着付帯され、足指の付け根部分と踵部分に施される。【００１６】  歩行中に力が大きく加わるシューズカバーの外面の底面部分の足指の付け根部分と踵部分に滑り止めを施すことにより滑り止めの効果を生じさせることが可能である。滑り止めの部分に接着付帯された石粒のような硬質の部材の粒が、雪面や凍結面に突き刺さり、食い込むことによって歩行中の滑りを防ぐことが可能である。【００１７】  図３は、本考案の第２の実施の形態に係る滑り止めシューズカバーの滑り止めの縦断面図である。前述の滑り止め１３に対して、それと同じ形、同じ大きさの面ファスナー１４のファスナー面の裏面を接着付帯し、他方、前述のシューズ型構造体１２の外面の底面部分の足指の付け根部分と踵部分に対して、前述の面ファスナー１４に接合可能な同じ形、同じ大きさの面ファスナー１５のファスナー面の裏面を接着付帯する。面ファスナー１５が付帯されたシューズ型構造体１２に対して、面ファスナー１４が付帯された滑り止め１３を面ファスナー１４と面ファスナー１５の接合によって付帯する。【００１８】  滑り止め１３は、使用時間数と共に滑り止め効果が小さくなっていく恐れがある。面ファスナー１４と面ファスナー１５の着脱によって、滑り止め効果の、より大きい新しい滑り止めに交換することが可能である。滑り止め１３に接着付帯される石粒のような硬質の部材の材質や大きさ、形、数量等を変えることにより、雪道や凍結した道の状態に適合した滑り止め１３を選択、付帯することが可能である。【００１９】  本考案の第３の実施の形態に係る、ソールは、１例として、カバー構造体１２の内面の底面部分に付帯され、カバー構造体１２の内面の底面部分と形、大きさが、略同じである。【００２０】  本考案シューズカバーを使用して雪道や凍結した道を歩行するとき、シューズカバーの内面の底面部分に大きな力が加わる。そのためシューズカバーの損傷やシューズとシューズカバーとの間に滑りを起こす恐れがある。前述のソールを付帯することにより、シューズカバーの着脱も、より容易になり、又、カバー構造体１２の損傷やカバー構造体１２とシューズとの間に生じる滑りも小さくすることが可能である。【００２１】  以上、本考案の実施の形態及び実施例を説明したが、本考案の範囲は、これに限定されるものではない。例えば、シューズカバー構造体の形状や大きさ、材質あるいは滑り止めの形状や大きさ、材質、付帯場所は状況に応じて適宜選択されるものである。【００２２】  滑り止め１３は、その表面に多数の突起物状に施された硬質の合成樹脂等を用いて、耐久性を高めることも可能である。又、滑り止め１３の部分をシューズカバー構造体１２の外面の底面部分全体に施して、滑り止め効果を高めることも可能である。【００２３】  カバー構造体１２は、一部または全体に弾性部材等を用いて防水性、耐久性、装着性等を高めることも可能である。【００２４】  ソールは接着付帯しないで着脱できるようにすることも可能である。又、ソールは、一部または全体に弾性部材等を用いて、防水性、耐久性、装着性等を高めたり、シューズとの間に生じる滑りを小さくすることも可能である。又、ソールは、カバー構造体１２の外面の底面部分と面ファスナー１５との間に、挟さむように付帯することも可能である。
【図面の簡単な説明】
【００２５】
【図１】  本考案の第１の実施の形態に係るシューズカバーの外観斜視図である。
【図２】  本考案の第２の実施の形態に係るシューズカバーの外面の底面部分の平面図である。
【図３】  本考案の第２の実施の形態に係る面ファスナー付帯の滑り止めの縦断面図である。
【符号の説明】
【００２６】  １１      シューズカバー
１２      カバー構造体
１３      カバー滑り止め
１４      面ファスナー
１５      面ファスナー１４に接合する面ファスナー
【図１】
0003123481.tif 000003
【図２】
0003123481.tif 000004
【図３】
0003123481.tif 000005